(57)【要約】【課題】表示器に出力する合成画像の信号を調整することにより、マスク帯の部分の焼付けを防止した出力装置を提供する。【解決手段】再生が開始されると、制御部６は、タイマー回路６Ｂにおいて時間の計測を開始する。一定時間が経過すると、制御部６は、サイドバー５１の色を黒色から灰色に変更するよう画像合成部１３に指示する。これにより、テレビジョン１０１に表示されるサイドバー５１の色が灰色に変化する（図４参照）。同時に、制御部６は、タイマー回路６Ｃにおいて時間の計測を開始する。所定時間が経過すると、制御部６は、サイドバー５１の色を灰色から黒色に変更するよう画像合成部１３に指示する。これにより、テレビジョン１０１に表示されるサイドバー５１の色が黒色に戻る。【選択図】  図４
2009094712.tif 000002
【特許請求の範囲】
【請求項１】
入力ポート又はメディアから第１のアスペクト比の画像データを取り込む取込手段と、
前記取込手段で取り込まれた前記第１のアスペクト比の画像データに基づく画像の両サイド又は上下に帯を付加し、第２のアスペクト比の合成画像データを生成する画像合成手段と、
前記画像合成手段で合成された前記第２のアスペクト比の合成画像データを出力する出力手段と、を備え、前記出力手段から出力される前記第２のアスペクト比の合成画像データを処理して合成画像を画面に表示する表示器に接続される出力装置において、
前記画像合成手段は、所定のタイミングで、前記帯の色を所定時間別の色に変更する出力装置。
【請求項２】
前記画像合成手段は、一定時間経過する毎に、又は前記取込手段で取り込まれた画像データのビットレートが一定値以上変化する毎に、前記帯の色を前記所定時間別の色に変更する請求項１に記載の出力装置。
【請求項３】
複数の色の内の１色を前記別の色として選択する選択手段を備える請求項１又は２に記載の出力装置。
【請求項４】
前記メディアは、光ディスクであり、
前記第１のアスペクト比は、４：３であり、
前記第２のアスペクト比は、１６：９であり、
前記画像合成手段は、前記画像データに基づくアスペクト比４：３の画像の両サイドに黒色の帯を付加し、アスペクト比１６：９の合成画像データを生成する請求項１から３のいずれかに記載の出力装置。
【発明の詳細な説明】
【技術分野】
【０００１】
本発明は、第１のアスペクト比の画像データに帯を付加して第２のアスペクト比の合成画像データを生成する出力装置に関し、その合成画像データを処理して画像を画面に表示する表示器に接続される出力装置に関するものである。
【背景技術】
【０００２】
近年、テレビ、ＰＣなどディスプレイでの画面のワイド化が進展し、市場には、アスペクト比１６：９の画面を有するワイドディスプレイが数多く販売されてきている。そして、ワイドディスプレイに対応した、ＣＡＴＶ受信機やＤＶＤプレーヤなどの出力装置も数多く販売されてきている。
【０００３】
ここで、出力装置を代表してＤＶＤプレーヤについて説明する。ＤＶＤプレーヤは、アスペクト比１６：９の画像データがＤＶＤに録画されている場合、画像データをそのままワイドディスプレイに出力する。これにより、ワイドディスプレイでは、アスペクト比１６：９の画像が表示される。一方、アスペクト比４：３の画像データがＤＶＤに録画されている場合、ＤＶＤプレーヤは、アスペクト比４：３の画像の左右に黒色のマスク帯を付加してアスペクト比１６：９の合成画像を生成し、ワイドディスプレイに出力する。この結果、ワイドディスプレイでは、アスペクト比１６：９の合成画像が表示される。このように、近年では、ＤＶＤに録画されている画像データがアスペクト比４：３であっても、アスペクト比１６：９の合成画像によりユーザに視聴されるケースが増加してきている。
なお、特許文献１及び２では、ＣＲＴなどの表示器が提案されている。
【特許文献１】特開２００３−２１９３２０公報
【特許文献２】特開２００５−２３６７０７公報
【発明の開示】
【発明が解決しようとする課題】
【０００４】
しかしながら、プラズマディスプレイパネル（ＰＤＰ）等の表示器では、ＣＲＴなどと同様に蛍光体を使用し発光させている関係上、表示内容や使用時間に応じて画面に輝度差を生じやすく、これにより焼付きとして目立つことがあった。この輝度差に起因する焼付けは、高輝度である程、かつ、同じ画面を長時間表示する場合に、使用時間に比例して顕著に現れる。従って、アスペクト比１６：９の合成画像をワイドディスプレイで長時間表示した場合、そのマスク帯の部分が焼き付けを起こしてしまうことがあった。その結果、ワイドディスプレイがアスペクト比１６：９の画像を表示した場合に、そのマスク帯の部分が段差となって顕著に目立ってしまうという問題があった。
【０００５】
本発明はこのような従来の課題を解決しようとするものであり、表示器に出力する合成画像の信号を調整することにより、マスク帯の部分の焼付けを防止した出力装置を提供することを目的とする。
【課題を解決するための手段】
【０００６】
本発明の出力装置は、前記課題を解決するために以下の構成を備えている。
【０００７】
（１）入力ポート又はメディアから第１のアスペクト比の画像データを取り込む取込手段と、
前記取込手段で取り込まれた前記第１のアスペクト比の画像データに基づく画像の両サイド又は上下に帯を付加し、第２のアスペクト比の合成画像データを生成する画像合成手段と、
前記画像合成手段で合成された前記第２のアスペクト比の合成画像データを出力する出力手段と、を備え、前記出力手段から出力される前記第２のアスペクト比の合成画像データを処理して合成画像を画面に表示する表示器に接続される出力装置において、
前記画像合成手段は、所定のタイミングで、前記帯の色を所定時間別の色に変更する。
【０００８】
この構成において、表示器は、例えばＰＤＰのモニタ、ＰＤＰのテレビジョンである。また、出力装置は、放送されるテレビ番組に含まれる画像データをチューナから取り込む放送受信装置、インターネット上の画像データをＬＡＮカードから取り込むパーソナルコンピュータ、又は画像データをメディアから取り込む再生装置である。メディアは、例えばハードディスク、半導体メモリ、又は光ディスクである。第１のアスペクト比は、例えば４：３、１６：９である。また、第２のアスペクト比は、例えば１６：９、４：３である。ここで、第１のアスペクト比が４：３で第２のアスペクト比が１６：９である場合、画像合成手段は、両サイドに（例えば黒色の）帯を付加する。この場合、画像とサイドバーとを含む合成画像が表示器において表示される。また、第１のアスペクト比が１６：９で第２のアスペクト比が４：３である場合、画像合成手段は、上下に（例えば黒色の）帯を付加する。この場合、画像と上下バーとを含む合成画像が表示器において表示される。
【０００９】
この構成では、メディアに録画されているコンテンツや放送されるテレビ番組等が出力装置により再生され、ユーザがこれらを表示器で視聴している場面を想定している。この場面で所定のタイミングがくると、画像合成手段によって、表示器で表示されている帯の色が所定時間だけ別の色（例えば黒色と別の色）に変化する。
以上より、出力装置では、第２のアスペクト比の合成画像を表示器で長時間表示する場合でも、帯の色が所定のタイミングで所定時間別の色に変化する。そのため、帯の色が同色で長時間表示されるのを防止できる。従って、帯の部分の焼付けを防止することができる。
なお、帯の色が急に変化すると、ユーザに違和感を与え、ストレスを感じさせてしまうおそれがある。そこで、帯の色の変化が目立たないように、所定時間は、短い時間に予め定める。所定時間は、例えば０、１秒に設定する。
【００１０】
（２）前記画像合成手段は、一定時間経過する毎に、又は前記取込手段で取り込まれた画像データのビットレートが一定値以上変化する毎に、前記帯の色を前記所定時間別の色に変更する。
【００１１】
この構成では、上記（１）の所定のタイミングを具体的に２つ示している。
この構成において、まず、前者の一定時間は、焼付け防止の観点から予め定められる時間である。一定時間は、例えば３０分である。
次に、後者について説明する。メディアに録画されているコンテンツや放送されるテレビ番組等の再生中において、画像が急に切り替わる場面では、帯の色の変化が目立ち難く、ユーザに気付かれ難い。そこで、ここでは、画像データのビットレートに着目し、ビットレートが一定値以上変化した場合、帯の色を別の色に変更する。一定値は、画像が急に切り替わったとみなせる値に予め設定する。一定値は、例えば５００kbpsである。
【００１２】
（３）複数の色の内の１色を前記別の色として選択する選択手段を備える。
【００１３】
上記別の色は、白色に近いほど、焼付け防止効果が高いもののユーザが帯の色の変化に気付き易くなる。逆に、上記別の色は、黒色に近いほど、焼付け防止効果が低いもののユーザが帯の色の変化に気付き難くなる。そこで、ここでは、出力装置に選択手段を設けて、ユーザに、帯の色を選択させる。画像合成手段は、帯の色を選択された色に変更する。これにより、表示器に表示される帯の色が、選択手段で選択された色に変化する。
よって、ユーザは、変化させる帯の色を自分の使用方法に応じて選択できる。
【００１４】
（４）前記メディアは、光ディスクであり、
前記第１のアスペクト比は、４：３であり、
前記第２のアスペクト比は、１６：９であり、
前記画像合成手段は、前記画像データに基づくアスペクト比４：３の画像の両サイドに黒色の帯を付加し、アスペクト比１６：９の合成画像データを生成する。
【００１５】
この構成において、光ディスクは、例えばブルーレイディスク、ＤＶＤである。
この構成では、画像とサイドバーとを含む合成画像が表示器において表示される。
【発明の効果】
【００１６】
この発明によれば、帯の部分の焼付けを防止することができる。
【発明を実施するための最良の形態】
【００１７】
以下、本発明の実施形態である光ディスク装置について説明する。
【００１８】
図１は、本発明の実施形態である光ディスク装置の主要な構成を示すブロック図である。光ディスク装置１は、装置本体１の各部の動作を制御する制御部６と、ＤＶＤ１００に対しデータの読取を行うピックアップヘッド２（以下、PUヘッド２と称する。）と、RFアンプなどの再生回路３と、ユーザの操作を受け付ける操作部１０と、装置本体１を遠隔操作するリモコン１２と、を備えている。さらに、光ディスク装置１は、情報を表示する表示部９と、データを記憶する記憶部１１と、音声データを再生音声信号として出力する音声処理部５と、画像データを再生画像信号として出力する画像合成部１３と、を備えている。
【００１９】
光ディスク装置１は、所謂ＤＶＤプレーヤである。そして、光ディスク装置１は、プラズマディスプレイパネル（ＰＤＰ）のテレビジョン１０１に接続されている。また、ＤＶＤ１００には、本編とＣＭから構成されるテレビ番組が予め録画されているものとする。
なお、この実施形態では、ＤＶＤ１００を用いているが、実施の際は、ブルーレイディスクでも構わない。
【００２０】
PUヘッド２は、図示しないレーザダイオード（ＬＤ）、コリメータレンズ、ビームスプリッタ、対物レンズ、フォトディテクタ、スレッドモータ、及びアクチュエータを備えている。
ＰＵヘッド２は、ＤＶＤ１００の半径方向に延びる軸に移動自在に取り付けられている。スレッドモータが、ＰＵヘッド２をＤＶＤ１００の半径方向に移動する。ＬＤは、レーザ光を出力する光源である。フォトディテクタは、複数の受光素子で形成されており、ＤＶＤ１００からの反射光を検出する。
【００２１】
再生時の動作について説明する。
ＰＵヘッド２は、ＤＶＤ１００に対して読取パワーのレーザ光を照射し、ＤＶＤ１００からの反射光をフォトディテクタで検出する。これにより、ＤＶＤ１００に記録されている情報を光学的に読み出す。
【００２２】
再生回路３は、ＰＵヘッド２における複数の受光素子の出力に基づいてＲＦ信号を生成し、該ＲＦ信号を増幅する。そして、再生回路３は、該ＲＦ信号を処理して画像と音声のデータを取り出す。ここで、取り出される画像と音声のデータは、例えばＭＰＥＧでエンコードされている。そして、再生回路３は、これらのデータをデコードする。そして、再生回路３は、音声データを音声処理部５に、画像データを画像合成部１３に、これらのデータの同期を取りながら、それぞれ出力する。
【００２３】
音声処理部５は、音声データを再生音声信号として外部のテレビジョン１０１に出力する。
【００２４】
画像合成部１３は、制御部６からの指示に基づいて、再生回路３から出力された画像データに基づく画像の両サイド又は上下に、指示された色のマスク帯を付加した合成画像を生成する。例えば、画面表示モードが「サイドバー」に指定されている場合、画像合成部１３は、再生回路３から出力された画像データに基づく画像の両サイドに、黒色のサイドバーを付加した合成画像を生成する。
そして、画像合成部１３は、この合成画像の信号を再生画像信号として外部のテレビジョン１０１に出力する。又は、画像合成部１３は、再生回路３から出力された画像データをそのまま、再生画像信号として外部のテレビジョン１０１に出力する。ここで、これらの２パターンの動作は、制御部６からの指示によって切り替わる。
【００２５】
テレビジョン１０１は、光ディスク装置1から出力された信号を処理して、画像を画面上に表示したり音声を放音したりする。これにより、テレビジョン１０１において、画像５０及びサイドバー５１から構成される合成画像が表示される（図２参照）。
ユーザは、このテレビジョン１０１において、音声処理部５及び画像合成部１３から出力された再生画像信号に基づく画像、及び再生音声信号に基づく音声を視聴することができる。
【００２６】
操作部１０は、ユーザが光ディスク装置１に対して各種の命令（コマンド）を入力するためのものである。操作部１０には、ユーザの操作を受け付ける複数のキーが設けられている。光ディスク装置１に対してユーザが入力したコマンドは制御部６に伝送される。
複数のキーの中には、ＤＶＤ１００の再生を指示するための再生キー、複数の画面表示モードの内から１つの画面表示モードを指定する指定キーが含まれる。ここで、ユーザは、４：３の画像の両サイドに黒色のマスク帯を付加する「サイドバー」、４：３の画像を拡大して１６：９の画像にする「フル」、１６：９の画像の上下に黒色のマスク帯を付加する「レターボックス」の内から１つの画面表示モードを指定キーで指定する。この実施形態では、「サイドバー」がユーザにより予め指定されているものとする。
操作部１０には、リモコン信号検出部（不図示）が設けられている。リモコン信号検出部に対し、装置本体の外部からリモコン１２を用いて、電源のON／OFF、チャンネルの切替え、音量の調整等の命令が入力されると、リモコン信号検出部は、リモコン１２からの命令信号を受信して制御部６に伝送する。リモコン１２には、操作部１０と同様のキーが設けられている。
【００２７】
表示部９は、現在時刻、光ディスク装置１の設定状態などを表示する。
【００２８】
記憶部１１は、例えばハードディスクやＥＥＰＲＯＭで構成されており、装置本体１の各部の制御方法が記述された制御プログラムを記憶する。
【００２９】
制御部６は、例えばマイクロコンピュータで構成される。また、制御部６は、上記の制御プログラムで処理されるデータを展開するワークフィールドとしてのＲＡＭ６Ａ、時間を測定するタイマー回路６Ｂ、時間を測定するタイマー回路６Ｃを内蔵する。制御部６は、光ディスク装置１にユーザから入力された命令に応じて光ディスク装置１の各部を制御する。ここで、タイマー回路６Ｂ及び６Ｃの詳細については、後述する。
【００３０】
ここで、ＰＵヘッド２、及び再生回路３が、本発明の「取込手段」に相当する。また、操作部１０及びリモコン１２が、本発明の「選択手段」に相当する。また、画像合成部１３が、本発明の「画像合成手段」及び「出力手段」に相当する。
【００３１】
図３は、本発明の実施形態である光ディスク装置の制御部が行う動作を示すフローチャートである。この動作は、ユーザが再生キーを押下して、光ディスク装置１が再生を開始した時の動作である。停止操作などによって再生が中断された場合、制御部６は、この動作を終了する。また、この動作は、ＤＶＤ１００に録画されているテレビ番組を再生して、ユーザがテレビ番組をテレビジョン１０１で視聴する場面を想定している。
【００３２】
再生が開始されると、制御部６は、タイマー回路６Ｂにおいて時間の計測を開始する（Ｓ１）。そして、制御部６は、タイマー回路６Ｂを確認して、一定時間が経過するまで待機する（Ｓ２）。一定時間は、焼付け防止の観点から予め定められる時間である。一定時間は、例えば３０分である。
【００３３】
一定時間が経過すると、制御部６は、サイドバー５１の色を黒色から灰色に変更するよう画像合成部１３に指示する（Ｓ３）。これにより、テレビジョン１０１に表示されるサイドバー５１の色が灰色に変化する（図４参照）。
【００３４】
そして、Ｓ３の指示と同時に、制御部６は、タイマー回路６Ｃにおいて時間の計測を開始する（Ｓ４）。そして、制御部６は、タイマー回路６Ｃを確認して、所定時間が経過するまで待機する（Ｓ５）。ここで、サイドバー５１の色が急に変化すると、ユーザに違和感を与え、ストレスを感じさせてしまうおそれがある。そこで、サイドバー５１の色の変化をユーザに気付かせないように、所定時間は、短い時間に予め定める。所定時間は、例えば０、１秒に設定する。
【００３５】
所定時間が経過すると、制御部６は、サイドバー５１の色を灰色から黒色に変更するよう画像合成部１３に指示し（Ｓ６）、Ｓ１に戻る。これにより、テレビジョン１０１に表示されるサイドバー５１の色が黒色に変化する（図２参照）。
【００３６】
以上より、光ディスク装置１では、アスペクト比１６：９の合成画像をテレビジョン１０１で長時間表示する場合、サイドバー５１の色を一定時間経過する毎に変化させている。そのため、サイドバー５１の色が同色で長時間表示されるのを防止できる。従って、サイドバー５１の部分の焼付けを防止することができる。
【００３７】
また、本発明の実施形態は、以下の変形例を採用することができる。
【００３８】
（第１変形例）
図５は、本発明の実施形態の第１変形例である光ディスク装置の制御部が行う動作を示すフローチャートである。この動作は、図３のＳ１、Ｓ２をＳ１１、Ｓ１２に置き換えた動作であり、その他の処理については同じである。また、ＤＶＤ１００には、上述してように、本編とＣＭから構成されるテレビ番組が予め録画されている。
ＤＶＤ１００の再生中において、画像５０が急に切り替わる場面では、サイドバー５１の色の変化がユーザに気付かれ難い。画像５０が急に切り替わる場面とは、例えば本編からＣＭに切り替わる場面、ＣＭから本編に切り替わる場面、動きの激しい場面から動きの穏やかな場面に切り替わる場面、動きの穏やかな場面から動きの激しい場面に切り替わる場面である。動きの激しい場面は、例えばアクションシーンである。
そこで、制御部６は、再生回路３において、デコード後の画像データのビットレートを監視する（Ｓ１１）。そして、制御部６は、そのビットレートが一定値以上変化したかどうか判定する（Ｓ１２）。一定値は、画像が急に切り替わったとみなせる値に予め設定する。一定値は、例えば５００kbpsである。
ビットレートが一定値以上変化すると、制御部６は、サイドバー５１の色を灰色に変更するよう画像合成部１３に指示する（Ｓ３）。これにより、テレビジョン１０１に表示されるサイドバー５１の色が灰色に変化する（図４参照）。
以上より、ビットレートの変化したタイミングでサイドバー５１の色を変化させても、サイドバー５１の色が同色で長時間表示されるのを防止できる。従って、サイドバー５１の部分の焼付けを防止することができる。
【００３９】
（第２変形例）
Ｓ３において切替える色は、白色に近いほど、焼付け防止効果が高いもののユーザがサイドバー５１の色の変化に気付き易くなる。逆に、Ｓ３において切替える色は、黒色に近いほど、焼付け防止効果が低いもののユーザがサイドバー５１の色の変化に気付き難くなる。
そこで、操作部１０に、サイドバー５１の色を複数の色の内から１色選択するための選択キーを設ける。そして、ユーザに、サイドバー５１の色を選択キーで予め選択させる。
これにより、制御部６は、Ｓ３において、サイドバー５１の色を黒色から選択された色に変更するよう画像合成部１３に指示する。これにより、テレビジョン１０１に表示されるサイドバー５１の色が、選択キーで選択された色に変化する。よって、ユーザは、変化させるサイドバー５１の色を自分の使用方法に応じて選択できる。
【図面の簡単な説明】
【００４０】
【図１】本発明の実施形態である光ディスク装置の主要な構成を示すブロック図
【図２】テレビジョン１０１において表示される表示画面の一例を示す図
【図３】本発明の実施形態である光ディスク装置の制御部が行う動作を示すフローチャート
【図４】テレビジョン１０１において表示される表示画面の一例を示す図
【図５】本発明の実施形態の第１変形例である光ディスク装置の制御部が行う動作を示すフローチャート
【符号の説明】
【００４１】
１−光ディスク装置
２−ピックアップヘッド
３−再生回路
５−音声処理部
６−制御部
９−表示部
１０−操作部
１１−記憶部
１２−リモコン
１３−画像合成部
５０−画像
５１−サイドバー
１００−ＤＶＤ
１０１−テレビジョン
【図１】
2009094712.tif 000003
【図２】
2009094712.tif 000004
【図３】
2009094712.tif 000005
【図４】
2009094712.tif 000006
【図５】
2009094712.tif 000007